(57)【特許請求の範囲】
【請求項１】
使用者の片方の耳殻から後頭部に沿って他方の耳殻に至り、さらに眉間部前方まで終端を延伸させて成るフレーム体と、前記フレーム体の延伸部の終端に取り付けたノーズパッド部とから成る眼鏡フレーム。
【請求項２】
前記終端又はノーズパッド部は、眼鏡レンズと眼鏡レンズを支持するブリッジ部とから成る眼鏡レンズ組立体の前記ブリッジ部を止着可能としたことを特徴とする請求項１に記載の眼鏡フレーム。
【請求項３】
前記フレーム体の延伸部に、ウェアラブルコンピュータを構成するデバイスを取り付け可能としたことを特徴とする請求項１又は請求項２のいずれかに記載の眼鏡フレーム。
【請求項４】
請求項２に記載の眼鏡フレームに、前記眼鏡レンズ組立体を取り付けて成る眼鏡。
【請求項５】
請求項３に記載の眼鏡フレームに、前記デバイスを取り付けて成るウェラブルコンピュータ。
【請求項６】
使用者の片方の耳殻から後頭部に沿って他方の耳殻に至り、さらに眉間部前方に終端を延伸させて成るフレーム体と、前記フレーム体の延伸部の終端に取り付けたノーズパッド部とから成る眼鏡フレームの、前記終端又はノーズパッド部に眼鏡レンズと眼鏡レンズを支持するブリッジ部とから成る眼鏡レンズ組立体を有し、前記フレーム体の延伸部にウェアラブルコンピュータを構成するデバイスを取り付けて成るウェラブルコンピュータ付眼鏡。
【発明の詳細な説明】
【技術分野】
【０００１】
本発明は、ヘッドマウント型ウェアラブルコンピュータを構成するためのフレームとして使用可能な眼鏡フレーム、および該眼鏡フレームを用いたヘッドマウント型のウェアラブルコンピュータ付眼鏡に係る。
【背景技術】
【０００２】
いわゆるウェアラブルコンピュータは、マイクロプロセッサを搭載した本体装置およびバッテリーのほか、ディスプレイ・スピーカー・マイクロフォン・各種スイッチ等の入出力装置などのデバイスを軽量小型化して身に着けて使用可能とするものであり、腕時計や眼鏡のように普段身に着ける物品にこれらデバイスを組み込むものや、衣類にこれらデバイスを統合したものまで、幅広く研究開発されている。いわゆるユビキタスコンピューティングにおいては、ウェアラブルコンピュータはエンドユーザが直接接する端末として普及が期待されているが、本願発明出願時点では、腕時計型と人体の頭部に装着するヘッドマウント型が製品化段階にある。
【０００３】
このうちヘッドマウント型は、人間の視聴覚器官が集中する頭部に装着して直接視覚や聴覚に作用可能という点で利点を有し、従来、特許文献１に記載のヘッドマウントディスプレイ（ＨＭＤ）に代表される視覚情報出力装置や、特許文献２に記載の従来型の眼鏡のフレーム部分にデバイスを装着可能とするための支持部材等が開発され提案されてきた。また、各種デバイス類の小型軽量化や無線情報通信システムの高度化を背景に、携帯型パーソナルコンピュータを代替し、さらに、施設や公共空間、自動車等の交通機関に設置された情報システムとの連携により、より高度なモバイルコンピューティングを提供する手段として、非特許文献１乃至３に記載の如き実用的なウェアラブルコンピュータも発表されている。
【特許文献１】特開２０１３−４６１４３号公開特許公報
【非特許文献１】米国Google社「Google Glass（登録商標）」http://www.google.com/glass/start/
【非特許文献２】米国Telepathy社「Telepathy（登録商標）」http://tele-pathy.org/
【非特許文献３】日産自動車株式会社「Nissan 3E」http://www.nissan.co.jp/MS/TOKYO2013/
【０００４】
一般的なヘッドマウント型ウェアラブルコンピュータは、デバイスを人間の頭部に装着し、特にディスプレイ装置を使用者の片眼の前方に保持する構造を有する。そのため、使用者の顔面上にデバイスが露出して外見上違和感を生じ、使用上も嵩張るために装着感が良くないという問題が従来から指摘されてきた。これに対して、非特許文献１乃至３に記載のウェアラブルコンピュータでは、デバイスを極めて小型軽量化し外観上の違和感を抑制し装着感も向上させている。
【発明の開示】
【発明が解決しようとする課題】
【０００５】
しかし、視力矯正用の眼鏡やサングラスの使用者にとっては、頭部に二種類の器具を装着することになり、煩雑である。もちろん、既往の眼鏡やサングラスにデバイスのみを装着することによりかかる煩雑さは解消可能であるが、ウェアラブルコンピュータとしての機能上必要となるディスプレイ装置のほかスピーカーやマイクロフォン、カメラ、操作用スイッチ類を適切な位置に保持し、それらを結ぶ配線も必要なことを考慮すれば、眼鏡やサングラスごとに個別のセッティングを要することとなる。
【０００６】
また、ウェアラブルコンピュータ自体は、外見上の違和感を防ぎ装着感を向上させるために、使用者の顔面上に露出するデバイスやそれを支持するフレームを最小限とすることが望まれる。たとえば、非特許文献１に記載の「Google Glass（登録商標）」の場合、アッパーリムのみの眼鏡フレームにデバイスを装着したものであり、必要に応じて眼鏡やサングラスのレンズも装着可能とされているが、レンズが不要の使用者も眼鏡を掛けるのと同じ状態となる。一方、非特許文献２に記載の「Telepathy（登録商標）」および非特許文献３に記載の「NISSAN 3E」の場合、使用者の両耳殻から後頭部に回り込んだフレームにデバイスを内蔵し、ディスプレイ装置のみ一方の耳殻付近から片眼の前面へと延伸させた構造としているため、顔面上に露出するデバイスは最小限である。しかし、これらはディスプレイ装置が使用者の片方の耳殻を支点として片眼の前面中空に保持される構造上、使用者の顔の動きや身体の揺動によりディスプレイ装置が眼前で振動するおそれがあり、使用上支障をきたすという問題を有する。
【０００７】
本発明は、かかる事情を鑑みて為されたものであり、装着時に使用者の顔面上に露出するデバイスを最小限とし、かつ、眼前に保持したディスプレイ装置の振動を防止するとともに、必要に応じて眼鏡やサングラスのレンズを容易に着脱可能なウェアラブルコンピュータ用の眼鏡フレーム、およびヘッドマウント型のウェアラブルコンピュータ付眼鏡を提供するものである。
【課題を解決するための手段】
【０００８】
上記課題を解決するために、請求項１に記載した眼鏡フレームは、使用者の片方の耳殻から後頭部に沿って他方の耳殻に至り、さらに眉間部前方まで終端を延伸させて成るフレーム体と、前記フレーム体の延伸部の終端に取り付けたノーズパッド部とから成るように構成した。
【０００９】
従来から、ジョギング等のスポーツ活動時用のヘッドフォンとして、使用者の後頭部外周を巡らせたフレームの両端を両耳殻に懸架させてイヤフォンを取り付けた製品が知られている。かかる製品は、両耳のイヤフォンを結ぶケーブルをフレーム内に収容して本体の音響機器とは１本のケーブル又はワイヤレスで接続可能となるため、ケーブルの取り回しの煩雑さを抑制できるだけでなく、後頭部側に隠れたフレームで頭部を挟み込む形で密着させて装着するので、正面からの外観上目立たず、身体の動きによる不用意な脱落を防止できるというメリットを有している。
【００１０】
本発明に係る眼鏡フレームは、かかる後頭部側のフレーム体の片方の耳殻への懸架部をさらに側頭部から顔前面の眉間部前方まで延伸させ、該フレーム体延伸部の終端に眼鏡用のノーズパッド部を取り付けた構成としている。そのため、本眼鏡フレームは、装着時に使用者の頭頂上方から見た場合、後頭部側の略半円形にフレーム体に延伸部フレーム体と合わせて概ね円周延長の４分の３となる略円周形状を成す。かかる構成により、装着時には、前記後頭部装着型のヘッドフォンと同様の脱落防止効果を奏するとともに、フレーム体延伸部の終端はノーズパッド部を介して使用者の鼻梁によって常時支持されるため、顔や身体の動きにより振動することが防がれる。
【００１１】
フレーム体の形状は、両耳殻部においては耳殻基部へ懸架可能な曲線を構成し、後頭部側においては後頭部の下部に沿って密着固定可能な曲線を構成することが望ましい。また、断面形状は任意であり、円形や楕円形としても良いし、後頭部や側頭部に密着する扁平形状としても良い。延伸部については、視覚的に目立たないよう、可能な限り細い形状が望ましい。材質は、後頭部側については、装着時に後頭部や側頭部に密着するよう弾力性を有する素材を用い、延伸部についてもノーズパッド部が軽く鼻梁に圧着されるよう、一定の弾力性を持たせることが望ましい。
【００１２】
本発明に係る眼鏡フレームは、眼鏡やサングラスのレンズの装着を前提とせず、フレーム体の側頭部の片側にウェラブルコンピュータの主要なデバイスを一体化したユニットをディスプレイ装置が片眼の前方に保持する形で装着し、裸眼の使用者がウェアラブルコンピュータのみを使用するためのフレームとして使用可能である。
【００１３】
次に、請求項２に記載した眼鏡フレーム、請求項１に記載した眼鏡フレームであって、前記終端又はノーズパッド部のいずれかに、眼鏡レンズと眼鏡レンズを支持するブリッジ部とから成る眼鏡レンズ組立体の前記ブリッジ部を止着可能としたことを特徴とする。この場合の本眼鏡フレームは、眼鏡レンズの装着を前提とする。
【００１４】
前記眼鏡レンズ組立体は、眼鏡レンズの全周又は一部をリムで保持したリム型、及び眼鏡レンズの内側端をブリッジ部材で接合したリムレス型のいずれも適用可能であるが、軽量化および外観上の目立たなさを考慮すればリムレス型がより好適である。
【００１５】
本眼鏡フレームへの眼鏡レンズ組立体の止着構造は任意であるが、たとえば、本願発明出願人の発明である「眼鏡レンズ組立体の止着構造」（特願２０１２−２７６２９８号）における「ブリッジ部材」、「ジョイント部材」および一対のノーズパッドを有する「ノーズパーツ」の組み合わせが適用可能である。具体的には、前記フレーム体延伸部の終端に前記「ジョイント部材」を設置し、前記「ブリッジ部材」にて眼鏡レンズを結合した眼鏡レンズ組立体を着脱可能に装着し、前記「ノーズパーツ」にて各部材を結合して固定することが可能である。また、フレーム体延伸部の終端に取り付けたノーズパッド部に前記「ジョイント部材」を設置し、前記「ブリッジ部材」を有する眼鏡レンズ組立体を着脱可能に装着しても良い。
【００１６】
次に、請求項３に記載した眼鏡フレームは、請求項１又は請求項２のいずれかに記載の眼鏡フレームであって、前記フレーム体の延伸部に、ウェアラブルコンピュータを構成するデバイスを取り付け可能としたことを特徴とする。
【００１７】
本眼鏡フレームは、ウェアラブルコンピュータとしての使用を前提とするものであるが、眼鏡レンズ組立体の取り付けの有無は任意である。デバイスの取付方法は任意であり、前記フレーム体の一部に収容空間を設けてデバイスを内蔵させても良いし、あるいは前記フレーム体にデバイスを固定あるいは着脱可能に止着するためのジョイント機構を設けても良い。
【００１８】
次に、請求項４に記載した眼鏡は、請求項２に記載の眼鏡フレームに、前記眼鏡レンズ組立体を取り付けて成る。これにより、視力矯正用眼鏡の使用者は、必ずしもウェアラブルコンピュータの使用を前提としない場合も、本発明に係る眼鏡フレームを適用した眼鏡を使用することができる。
【００１９】
次に、請求項５に記載したウェアラブルコンピュータは、請求項３に記載の眼鏡フレームに、前記デバイスを取り付けて成ることを特徴とする。眼鏡レンズ組立体の取り付けの有無は任意であり、裸眼の使用者がウェアラブルコンピュータとしてのみ使用することも可能である。
【００２０】
次に、請求項６に記載したウェアラブルコンピュータ付眼鏡は、使用者の片方の耳殻から後頭部に沿って他方の耳殻に至り、さらに眉間部前方に終端を延伸させて成るフレーム体と、前記フレーム体の延伸部の終端に取り付けたノーズパッド部とから成る眼鏡フレームの、前記終端又はノーズパッド部に眼鏡レンズと眼鏡レンズを支持するブリッジ部とから成る眼鏡レンズ組立体を有し、前記フレーム体の延伸部にウェアラブルコンピュータを構成するデバイスを取り付けて成ることを特徴とするもので、眼鏡を必要とする使用者がウェアラブルコンピュータも使用することを前提とする。
【発明の効果】
【００２１】
本発明に係る眼鏡フレームは、ウェアラブルコンピュータ用としてのみでなく、眼鏡フレーム自体の新たな構造を提供するものである。その技術的効果としては、次のよう点が挙げられる。
【００２２】
（１）眼鏡フレームは、装着時には両耳殻から後頭部にかけての頭部の側面部および後頭部で固定され、顔の前面にはフレーム体の延伸部とノーズパッド部のみが露出する構造であるため、顔の正面から見た場合に露出する部材が最小限となる。特に、デバイスを装着したウェアラブルコンピュータを裸眼で使用する際には、正面からはディスプレイ装置等の最小限のデバイスのみが顔の前面の中空に保持され、顔の半分は何も遮るものがない状態となる。そのため、使用者のみならず対面する第三者にとっても圧迫感や外見に対する心理的抵抗が小さくなる。
（２）フレーム体延伸部の終端はノーズパッド部を介して鼻梁に支持されるため、顔や身体の動きによる延伸部の振動が防止され、ひいてはフレーム体に装着したディスプレイ装置等のデバイスの振動も抑制される。また、フレーム体が両耳殻とノーズパッドの３点で支持されるだけでなく後頭部外周に密着して保持されるため、各種デバイス装着によりフレーム全体の重量が増加しても優に支えることができる。そのため、歩行時や運動時、自動車等の運転時においても、ウェラブルコンピュータの安全かつ安定的な使用の上で有利である。
（３）フレーム体延伸部の終端又はノーズパッド部に眼鏡レンズ組立体を着脱可能に装着できるため、本眼鏡フレームのみで眼鏡着用者もウェアラブルコンピュータを利用可能となり、裸眼の使用者も任意にサングラス等を装着可能である。その結果、使用者の身体的条件や利用条件に応じた多様な構成を実現できるだけでなく、部材の交換可能性により総体的なコストダウンも図れ、さらに、各部材のデザインやデバイスの取付位置の自由度も向上するから、ウェラブルコンピュータの普及促進を図る上で有利である。
【発明を実施するための最良の形態】
【００２３】
以下に、本発明を実施するための形態について、図面を参照して説明する。
【００２４】
（第一実施形態）
図１乃至図４は、本発明の第一実施形態に係る眼鏡フレーム単体の構成を示す図であり、請求項１に記載のフレーム体を表す。図１の斜視図の通り、眼鏡フレーム１は、弾力性を有する素材からなる一本の線材を屈曲加工して、使用者の後頭部外周に沿って両耳殻に懸架する後頭部側１０ａと、図では右耳殻から眉間部前方の終端まで延びた延伸部１０ｂとを一体的に形成したフレーム体１０と、終端部に取り付けたノーズパッド部１１とから構成される。ノーズパッド部１１は別部材として延伸部終端に取り付けることを前提としているが、フレーム体１０とシームレスに一体成形して構成することも可能である。
【００２５】
図２の側面図および図３の正面図に示す通り、フレーム体１０は側頭部で両耳殻に懸架可能な屈曲部を設けるとともに、後頭部側１０ａにおいては後頭部の下部外周に密着するような曲線を形成している。また、図４の上面図に示す通り、フレーム体１０は、上方から見た場合、左耳殻から後頭部を廻り、右耳殻を経由して眉間部前方まで頭部を取り囲む概ね４分の３の略円周形状を成している。
【００２６】
次に、図５乃至図８は、前記眼鏡フレーム１に眼鏡レンズ組立体２０を装着して眼鏡として使用する状態を示した斜視図、側面図、正面図、上面図であり、請求項４に記載した眼鏡がこれに該当する。前記フレーム体１０の延伸部１０ｂの終端に、眼鏡レンズ２２Ｒ、２２Ｌをブリッジ部材２１で結合して成る眼鏡レンズ組立体２０を着脱可能に装着している。
【００２７】
延伸部１０ｂの終端への眼鏡レンズ組立体２０の装着構造は任意であるが、本実施形態では、たとえば、図９に例示したように、本願出願人の出願に係る特願２０１２−２７６２９８号に記載の「眼鏡レンズ組立体の止着構造」の構成が適用可能である。
【００２８】
すなわち、延伸部１０ｂの終端にはあらかじめジョイント部材２３を固定しておき、眼鏡レンズ組立体２０を眼鏡レンズ２２Ｒ、２２Ｌの内側端部をフロントパーツ２１ａ、リアパーツ２１ｂの２つの部材から成るブリッジ部材２１で挟み込んで結合することで構成するとともに、ノーズパッド部１１の上部には装着部１２を設けておく。そして、ジョイント部材２３をブリッジ部材２１の上面から、ノーズパッド部１１の装着部１２を同下面から挿入して、ブリッジ部材２１の内部でジョイント部材２３、装着部１２が結合するとともにブリッジ部材２１を固定する構造とする。
【００２９】
次に図１０乃至図１３は、前記眼鏡フレーム１にウェラブルコンピュータの各種デバイスを装着する場合の構成を示す図であり、請求項６に記載したウェラブルコンピュータ付眼鏡がこれに該当する。なお、これらの図においては各デバイスの空間的な配置例のみを表しており、各デバイスを一体的に収容するための筐体の外観やデバイス間の配線の配置は任意であり、図中では筐体および配線を省略している。
【００３０】
図１０は、眼鏡レンズ組立体２０を取り付けた眼鏡フレーム１に、各デバイスを装着した状態を示す斜視図であり、図１１はその正面図、図１２は上面図である。デバイスはプロセッサを搭載した本体装置Ｐ、ディスプレイ装置Ｄ、ＣＣＤカメラＣから成り、本図ではバッテリー、スピーカー並びにマイクロフォンは本体装置Ｐに内蔵するものとしている。比較的重量の大きな本体装置Ｐはフレーム体１０の延伸部１０ｂの耳殻寄りの位置に、ディスプレイ装置Ｄは使用者の片眼のレンズ２２Ｒの前方に、そしてＣＣＤカメラＣはレンズ２２Ｒの外側に配置するよう構成している。また、図１３では、本体装置Ｐからスピーカーを分離し、フレーム体延伸部１０ｂの耳殻寄りの箇所に別途骨伝導スピーカーＳとして設置した場合を示している。
【００３１】
（第二実施形態）
眼鏡フレーム１のフレーム体１０は、図１４に示すように一体成型せずに後頭部側１０ａと延伸部１０ｂに分割して構成することもできる。この場合、後頭部側１０ａは側頭部の耳殻付近を終端１０ｃとし、そこに延伸部１０ｂを接合して構成する。接合の構造は任意であるが、たとえばフレーム体１０の後頭部側１０ａの耳殻への懸架部の前方にジョイント（図示せず）を設け、これにより延伸部１０ｂを接合することが考えられる。
【００３２】
図１５は、かかる分割タイプのフレーム体１０に眼鏡レンズ組立体２０を装着した状態を示す斜視図であり、図１６はその側面図である。眼鏡レンズ組立体２０の構成は第一実施形態と同様であるが、延伸部１０ｂを取り外した場合でも後頭部側１０ａは単独で頭部に装着可能であり、たとえば図のように後頭部側１０ａの両耳殻に懸架させる終端に骨伝導スピーカーＳを装着すれば、単体のヘッドフォンとしても使用可能となる。骨伝導スピーカーＳは、延伸部１０ｂを接合してデバイス類をそこに装着した場合は、ウェラブルコンピュータの音声出力装置として使用できる。
【００３３】
（第三実施形態）
図１７乃至図２０は、請求項７に記載の眼鏡の斜視図、側面図、正面図、上面図である。フレーム体１０の後頭部側１０ａは第一実施形態のものと同様であるが、延伸部１０ｂは耳殻付近から側頭部に沿って弧を描きながら前方に終端を延伸させており、その終端にノーズパッド部を有する前記眼鏡レンズ組立体の眼鏡レンズの一方の外縁部を係合している。なお、図中では、フレーム体１０の両耳殻前方付近に骨伝導スピーカーＳを装着しているが、スピーカーＳを有さない通常の眼鏡フレームとしての使用も当然可能である。
【００３４】
本実施形態では、フレーム体の延伸部は耳殻基部から側頭部前方に突出延伸させ、その終端に直接片方の眼鏡レンズの外縁部を取り付けることにより、眼鏡レンズ組立体をいわゆる「片持ち」の状態で支持するが、両耳殻基部と眼鏡レンズ組立体が備えるノーズパッド部の３点で眼鏡全体を支持する点は前記各実施形態と同様である。かかる構成によれば、フレーム体延伸部は顔面前方に露出しないため、外部からは使用者の顔の前面に眼鏡レンズ組立体のみが保持された如き外観を呈することになる。フレーム体延伸部の終端への眼鏡レンズ外縁部の係止方法は任意であるが、たとえば、眼鏡レンズ外縁部に係止用孔を穿ち、終端に設けたピン状の係止体を前記係止用孔に貫通させて固定する等の方法が考えられる。
【００３５】
以上、本発明に係る眼鏡フレーム、それを用いた眼鏡、並びにウェアラブルコンピュータ付眼鏡の具体的な構成について詳細に説明したが、本発明は上記実施形態に限定されるものではなく、本発明の技術的思想の範囲内において改良又は変更が可能であり、それらは本発明の技術的範囲に属するものである。
【産業上の利用可能性】
【００３６】
本発明に係る眼鏡フレームによれば、極めて簡易かつ軽量な構造で、使用者がほとんど装着感を感じず、軽快で外観上フレーム本体が目立ちにくい新しいデザインの眼鏡を実現できる。そして、これをウェアラブルコンピュータに適用した場合においては、デバイスの装着による重量増加を十分に支えた上で、使用者の顔や身体の動きによるディスプレイ装置の振動を効果的に防止できるため、ウェアラブルコンピュータの普及促進のために利用可能である。
【図面の簡単な説明】
【００３７】
【図１】第一実施形態に係る眼鏡フレームの斜視図
【図２】第一実施形態に係る眼鏡フレームの側面図
【図３】第一実施形態に係る眼鏡フレームの正面図
【図４】第一実施形態に係る眼鏡フレームの上面図
【図５】第一実施形態に係る眼鏡の斜視図
【図６】第一実施形態に係る眼鏡の側面図
【図７】第一実施形態に係る眼鏡の正面図
【図８】第一実施形態に係る眼鏡の上面図
【図９】眼鏡レンズ組立体の部材分解図
【図１０】第一実施形態に係るウェラブルコンピュータ付眼鏡の斜視図
【図１１】第一実施形態に係るウェラブルコンピュータ付眼鏡の正面図
【図１２】第一実施形態に係るウェラブルコンピュータ付眼鏡の上面図
【図１３】第一実施形態に係るウェラブルコンピュータ付眼鏡の斜視図（スピーカー別体）
【図１４】第二実施形態に係る眼鏡フレームの側面図
【図１５】第二実施形態に係る眼鏡の斜視図
【図１６】第二実施形態に係るウェラブルコンピュータ付眼鏡の側面図
【図１７】第三実施形態に係る眼鏡の斜視図
【図１８】第三実施形態に係る眼鏡の側面図
【図１９】第三実施形態に係る眼鏡の正面図
【図２０】第三実施形態に係る眼鏡の上面図
【符号の説明】
【００３８】
１        眼鏡フレーム
１０      フレーム体
１０ａ    後頭部側
１０ｂ    延伸部
１１      ノーズパッド部
１２      突出部
２０      眼鏡レンズ組立体
２１      ブリッジ部
２１ａ    フロントパーツ
２１ｂ    リアパーツ
２２Ｒ    眼鏡レンズ（右）
２２Ｌ    眼鏡レンズ（左）
２３      ジョイント部
Ｐ        装置本体
Ｃ        ＣＣＤカメラ
Ｄ        ディスプレイ装置
Ｓ        骨伝導スピーカー
【要約】 
【課題】
装着時に使用者の顔面上に露出するデバイスを最小限とし、かつ、眼前に保持したディスプレイ装置の振動を防止するとともに、必要に応じて眼鏡やサングラスのレンズを容易に着脱可能なウェアラブルコンピュータ用の眼鏡フレーム、およびヘッドマウント型のウェアラブルコンピュータ付眼鏡を提供する。
【解決手段】
使用者の片方の耳殻から後頭部に沿って他方の耳殻に至り、さらに眉間部前方まで終端を延伸させて成るフレーム体と、前記フレーム体の延伸部の終端に取り付けたノーズパッド部とから成る眼鏡フレームの、前記終端又はノーズパッド部に眼鏡レンズ組立体を有し、前記フレーム体の延伸部にウェアラブルコンピュータを構成するデバイスを取り付けて成るウェアラブルコンピュータ付眼鏡。
【選択図】  図１０【図１】
0005555366.tif 000002
【図２】
0005555366.tif 000003
【図３】
0005555366.tif 000004
【図４】
0005555366.tif 000005
【図５】
0005555366.tif 000006
【図６】
0005555366.tif 000007
【図７】
0005555366.tif 000008
【図８】
0005555366.tif 000009
【図９】
0005555366.tif 000010
【図１０】
0005555366.tif 000011
【図１１】
0005555366.tif 000012
【図１２】
0005555366.tif 000013
【図１３】
0005555366.tif 000014
【図１４】
0005555366.tif 000015
【図１５】
0005555366.tif 000016
【図１６】
0005555366.tif 000017
【図１７】
0005555366.tif 000018
【図１８】
0005555366.tif 000019
【図１９】
0005555366.tif 000020
【図２０】
0005555366.tif 000021